(57)【要約】      （修正有）【課題】留置を確実にし、引き抜き時点で乳頭内を損傷する可能性を防止する動物用乳管拡張子を提供する。【解決手段】紐２の一部を乳管拡張子本体部分１に埋め込み、紐の剰余の部分を当該拡張子本体の一端から外に出し、当該剰余の部分の紐を乳管拡張子の留置のための固定手段する。当該拡張子本体部分の他端の形状は丸くする。またその当該拡張子本体部分の全長は乳管に挿入されたとき、乳管の拡張には充分で、且つ乳洞内への突出を最小とする。【選択図】図２
0003101325.tif 000002
【実用新案登録請求の範囲】
【請求項１】
一端に紐を備えていることを特徴とする動物用乳管拡張子。
【請求項２】
一端に紐を備える動物用乳管拡張子のうち、紐の一部が乳管拡張子本体部分に埋め込まれている構造を特徴とする動物用乳管拡張子。
【請求項３】
乳管拡張子本体部分の長さが、乳管に挿入されたとき、乳管部の拡張には充分で、且つ乳洞内に突出する部分が僅かであることを特徴とする動物用乳管拡張子。
【考案の詳細な説明】
【技術分野】
【０００１】  本考案は、動物の乳頭内損傷の治療、乳管狭窄または癒着防止するための乳管拡張子に関する。
【背景技術】
【０００２】  従来型乳管拡張子８は図５に示すように棒状であった。【０００３】  乳管拡張子を確実に乳頭内に留置させるため、その先端が銛のような形状を有し、それにより乳洞内に物理的に固定するものも販売されている。（非特許文献１）。【０００４】  先端に銛のような形状を有しない従来型乳管拡張子８を抜け落ちないよう固定する方法は以下の通りである。【０００５】  手順１として図６に示すように、当該乳管拡張子８を乳管９に挿入後、バンソウコウ１０と、バンソウコウ１０と直交するようにバンソウコウ１１を配し、交差部１２を形成する。【０００６】  手順２として図７に示すように、バンソウコウ１０と、バンソウコウ１０と直交するように配されたバンソウコウ１１を、当該乳管拡張子８に交差部１２が当るように乳頭外壁６に貼り付けることにより、当該乳管拡張子８を固定する。【０００７】  手順３として図８に示すように、既に乳頭外壁６に貼り付けられたバンソウコウ１０とバンソウコウ１１の上から、バンソウコウ１０とバンソウコウ１１と直交するようにバンソウコウ１３を乳頭外壁６に巻きつけることにより、バンソウコウ１０とバンソウコウ１１の固定効果を補強する。
【非特許文献１】デンカ製薬株式会社「乳頭チューブ  ＭＭカタログ」
【考案の開示】
【考案が解決しようとする課題】
【０００８】  図５に示すような乳管拡張子は挿入し、留置しようとしても乳圧により抜け落ちる場合がある。【０００９】  先端に銛のような形状を有している乳管拡張子は、取り除くときに無理な力が乳洞および乳管にかかり、乳頭内部を損傷する可能性がある。【００１０】  先端に銛のような形状を有しない乳管拡張子を確実に留置させるには、当該拡張子を乳管に挿入後バンソウコウ等の多層貼りにより、当該乳管拡張子が乳圧で押し出されないように固定するが、その固定方法は熟練と時間を要し、加療者の大きな負担となっている。【００１１】  乳管拡張子を引き抜く場合、先端に銛のような形状を有する乳管拡張子では乳頭内を損傷しやすく、損傷しないように引き抜くには熟練と時間を要し加療者の大きな負担となっている。【００１２】  乳管拡張子本体の材料が脆弱な場合には、乳管拡張子が乳管に留置中または引き抜き作業中に破損し、その一部が乳頭内に残留する場合がある。その結果外科的手段で残留物を取り除く必要が発生する可能性がある。【００１３】  乳管拡張子本体部分の全長が乳管の長さより過度に長い場合には、当該乳管拡張子と乳洞内粘膜との接触する部分が多くなり、機械的および化学的に乳洞内粘膜に炎症を起こさせる可能性が高い。
【課題を解決する手段】
【００１４】  以上の課題を解決するために、第一考案は、乳管拡張子の留置、固定および引抜きを簡単確実にするため乳管拡張子本体部分の一端に紐を有することを特徴とする乳管拡張子である。
【００１５】  第二考案は、乳管拡張子本体部分の材料が脆弱なものにあっては、乳管拡張子を留置中または引き抜くとき、当該拡張子本体部分の一部が破損しても乳頭内に残留しないよう、乳管拡張子本体部分に紐の一部が埋め込まれていることを特徴とする乳管拡張子である。
【００１６】  第三考案は、乳管拡張子本体部分の長さが、乳管部の拡張が確保するに充分であり、かつ乳洞内粘膜と乳管拡張子との接触を最小であることを特徴とする乳管拡張子である。
【考案の効果】
【００１７】  第一考案によれば、乳管拡張子本体部分の一端から出ている紐を乳頭外壁にバンソウコウの単層貼りで固定することにより、簡単に且つ確実に留置を実現できる。
【００１８】  第二考案によれば、乳管拡張子本体部分内に紐が埋め込まれているので、当該紐を引くことにより、簡単に当該乳頭拡張子を引き抜くことができる。また材料が脆弱であっても、紐を引くだけで破損した乳管拡張子本体部分の一部が乳頭内に残留することなく、完全に取り除ける。
【００１９】  第三考案によれば、乳管拡張子が乳洞内に突出する部分を最小にすることにより、機械的、化学的な刺激による乳洞内粘膜の炎症を防止する。
【考案を実施するための最良の形態】
【実施例】
【００２０】  本考案の実施形態を、図１、図２、図３、図４に示す。【００２１】  図１において、乳管拡張子本体部分１の一端３には紐２が当該本体部分１と一体的に付けられている。また乳管拡張子本体部分１の他端４の形状は丸く、銛状ではないため、乳頭内部を損傷するような形状ではない。【００２２】  図２において、紐２の一部は乳管拡張子本体部分１に埋め込まれている。【００２３】  図３において、乳頭内部に挿入された乳管拡張子本体部分１は乳管を拡張するには充分な長さであるが、乳洞内５には殆ど突出していない。また先端４は丸く乳洞内に物理的に固定される構造ではない。【００２４】  図４において、乳頭内部に挿入された乳管拡張子本体部分１は紐２を介して乳頭外壁６に単層のバンソウコウ７により固定される。
【図面の簡単な説明】
【００２５】
【図１】  本考案の実施例による乳管拡張子の全体を示した正面図である。
【図２】  本考案の実施例による乳管拡張子本体部分に紐の一部が埋め込まれている状態を示した断面図である。
【図３】  本考案の実施例による乳管拡張子が挿入された状態を示した乳頭の断面図である。
【図４】  本考案の実施例による乳管拡張子の留置のための固定方法を示した正面図である。
【図５】  従来技術による乳管拡張子の正面図である。
【図６】  従来技術による乳管拡張子の留置のための固定方法の手順１を示した正面図である。
【図７】  従来技術による乳管拡張子の留置のための固定方法の手順２を示した正面図である。
【図８】  従来技術による乳管拡張子の留置のための固定方法の手順３を示した正面図である。
【符号の説明】
【００２６】  １  本考案の実施例による乳管拡張子の本体部分
２  紐
３  紐を有している側の乳管拡張子本体部分の一端
４  乳管拡張子本体部分の他端
５  乳洞
６  乳頭外壁
７  紐を固定するバンソウコウ
８  従来技術による乳管拡張子
９  乳管
１０  バンソウコウ
１１  バンソウコウ１０と直交するように配されたバンソウコウ
１２  バンソウコウ１０とバンソウコウ１１の交差部分
１３  バンソウコウ１０とバンソウコウ１１の上から貼られるバンソウコウ
【図１】
0003101325.tif 000003
【図２】
0003101325.tif 000004
【図３】
0003101325.tif 000005
【図４】
0003101325.tif 000006
【図５】
0003101325.tif 000007
【図６】
0003101325.tif 000008
【図７】
0003101325.tif 000009
【図８】
0003101325.tif 000010